(57)【要約】【課題】風呂の湯に香りを与え、新陳代謝を良くし、保湿、保温、ストレス解消などのために使用される入浴玉が湯中で発泡するときに発生するエアによる浮力と錘の重さとで浮上・沈下を繰り返す今どきのアクション性があり、浮上・沈下時の形体や動きの変化の面白さが得られる浮沈玩具を提供する。【解決手段】本願玩具１は、入浴玉２が収容できる中空体３を上部分と下部分とに分割可能に設け、上部分は頂面４が球面状に形成され、側面のにエア抜き穴５が備えられ、下部分は側面に配した複数の穴６にそれぞれルーズに係合した複数の足状体７を有し、底面中央に錘１１を固定したことを特徴とし、入浴玉が、湯に触れて発泡するときに生ずるエアと、中空体３内を満たす湯と錘の重さとにより浮沈を繰り返す高いアクション性と、浮上時には足状体をつぼめ、沈下時には足状体を大きく開くという形体や動きの面白さが得られるように構成した。【選択図】図１
2005080795.tif 000002
【特許請求の範囲】
【請求項１】
入浴玉が収容できる中空体を、上部分と下部分とに分割可能に設け、上部分は頂面が球面状に形成され、側面にエア抜き穴が備えられ、下部分は側面に配した複数の穴にそれぞれ基部をルーズに係合した複数の足状体を有し、底面中央に錘を固定したことを特徴とする浮沈玩具。
【発明の詳細な説明】
【技術分野】
【０００１】
本発明は、入浴玉が湯に触れて発泡するときに生ずるエアを抱持して浮上し、湯面に至ってエアが抜けて湯が入れ替わると沈下し、継続されている入浴玉の発泡によるエアを再び抱持して浮上するという動作を繰り返すことのできる浮沈玩具に関するものである。
【背景技術】
【０００２】
子供を風呂好きにするために、風呂の湯の中で遊べる種々の玩具がある。例えば、風呂の湯をポンプ筒内に吸い込み、筒端に設けた小さな穴から押し出す水鉄砲玩具、風呂の湯を桶で汲み出して掛けると羽根車が回転する水車玩具、風呂の湯面に浮かべて遊ぶ浮遊玩具などがある。
【発明の開示】
【発明が解決しようとする課題】
【０００３】
しかしながら、水鉄砲玩具、水車玩具、浮遊玩具などは遊び方が単純すぎるばかりでなく、玩具自体にテレビゲームなどで感じられる今どきのアクション性がないため、面白さに欠け、すぐに飽きが来るという問題があった。
【０００４】
本発明は、上記問題を解消するためのもので、その目的とするところは、風呂の湯に香りを与え、新陳代謝を良くし、保湿、保温、ストレス解消などのために使用される入浴玉が湯中で発泡するときに発生するエアによる浮力と錘の重さとで浮上・沈下を繰り返す今どきの高いアクション性があり、浮上・沈下時の形体や動きの変化の面白さが得られる浮沈玩具を提供することにある。
【課題を解決するための手段】
【０００５】
上記の目的を達成するため、本発明の浮沈玩具は、入浴玉が収容できる中空体を、上部分と下部分とに分割可能に設け、上部分は頂面が球面状に形成され、側面の一カ所にエア抜き穴が備えられ、下部分は側面に配した複数の穴にそれぞれ基部をルーズに係合した複数の足状体を有し、底面中央に錘を固定したことを特徴とするものである。
【発明の効果】
【０００６】
本発明に係る浮沈玩具は、上記の特徴を有しているため、重炭酸ナトリウム（重曹）、硫酸ナトリウム（芒硝）などからなる入浴玉が、湯に触れて発泡するときに生ずるエアを頂部に抱持して浮上し、湯面に至って転倒してエアが抜けて湯が入れ替わり錘の重さと相まって沈下し、入浴玉の継続している発泡によるエアを再度抱持して浮上し、湯面に至って転倒するとの動作を繰り返ことによる高いアクション性が得られ、しかも、浮上時は複数の足状体がつぼまり、沈下時は複数の足状体が大きく開くという形体や動きの面白さが得られる。この結果、子供をお風呂好きにできるなど各種の優れた効果を奏するものである。
【発明を実施するための最良の形態】
【０００７】
次に、本発明の最良の形態を図面に基づいて説明する。図１は本願玩具の外観斜視図、図２は本願玩具の分解斜視図、図３は本願玩具の動作を示す図で、（ａ）は浮上している状態、（ｂ）は湯面に至ってエアが抜けて湯が侵入した状態、（ｃ）は沈下している状態である。
【０００８】
本願玩具１は、図１の如く、内部に入浴玉２が収容できる中空体３からなる。該中空体３は、図２の如く、上部分３ａと下部分３ｂとを分割可能にし、前記入浴玉２を収容できるようにしている。この上部分３ａと下部分３ｂはプラスチックの成形品で、タコ（蛸）をイメージして作られている。前記分割部は肉厚の範囲内で雌雄結合できるようにし、中空体３の外面には水（湯）の抵抗を可及的に受けないようになっている。
【０００９】
前記中空体３の上部分３ａは、頂面４を球面状にし、入浴玉が発泡するときに生ずるエアを抱持（溜め）易く形成している。これは浮上力をより高めるためである。また、上部分３ａは側面（エアの抱持域を外れた部分）にエア抜き穴５が備えられている。エア抜き穴５は図示の例では１個所であるが、頂面４のエア抱持機能（浮上機能）を阻害させない限り、２個所以上設けてもよいことは勿論である。
【００１０】
前記中空体３の下部分３ｂは、側面に配した複数の穴６にそれぞれ基部をルーズに係合した複数の足状体７を有している。この各穴６は、下部分３ｂの開放端に設けた凹欠部８と、該凹欠部８に各足状体７の基部側面に直交状に設けたピン９を係止させた後、図２の如く、嵌入できるリング体１０とで構成されている。ここに示した足状体７はタコ（蛸）の足をイメージしているが、図示の例では単純化のため５本（本物の蛸は８本）で構成されている。
【００１１】
また、下部分３ｂの底面中央には、所定の重さの錘（オモリ）１１が収容室１２に収納固定されている。該収容室１２は、図３（ａ）の如く、蓋１３を閉じる（ボンド等で接着することもある）ことにより錘１１を封緘している。ここに使用する錘１１は、中空体３の上部分３ａの頂面４がエアで満たされているときの浮力の障害にならず、頂面４に抱持されているエアが逃げ、湯と入れ替わったときに、中空体３を沈下させるために必要な重さを備えることは勿論である。なお、錘１１の材質は、特に問わないが、実施例では鉄を用いている。
【００１２】
前記下部分３ｂの錘１１の収容室１２の周囲には、複数の穴１４が設けられている。これは本願玩具１が水（湯）中にある限り、常に、中空体３内への浸水をし易くするためである。尤も、中空体３内への浸水は、複数の足状体７を係止させるための穴６からも、また、上部分３ａのエア抜き穴５からも行われることは勿論である。
【００１３】
次に、本願玩具１の作用を、図３に基づいて説明する。まず、本願玩具１の中空体３の上部分３ａを下部分３ｂから分離して入浴玉２を収容し再び結合して、湯中に沈める。中空体３内に浸水した湯に反応して入浴玉２が発泡して多量のエアＡを生じさせると、そのエアが上部分３ａの球面状の頂面４に抱持（溜まる）され、図３（ａ）の矢印イの如く、中空体３に浮力が生ずる。
【００１４】
しかして、中空体３が湯面（水上）に至ってバランスを崩して、図３（ｂ）の如く、転倒して横倒しになると、上部分３ａの側面に設けたエア抜き穴５が上向きになって頂面４内に抱持されていたエアが逃げ、湯が入れ替わる格好になる。この結果、中空体３の浮力が失われ、図３（ｃ）の矢印ロの如く、沈下するに至る。
【００１５】
そして、入浴玉２は湯中において継続して発泡しているから、そのエアが上部分３ａの球面状の頂面４を再び満たすと浮力が生じて、図３（ａ）の如く、中空体３は再浮上し、湯面に至ってエア抜き穴５からエアが抜けると、またまた中空体３は再沈下する如く動作を繰り返すこととなる。
【００１６】
そして、上記中空体３の浮上時は、図３（ａ）の如く、下部分３ｂの側面に配した複数の穴６にそれぞれ基部をルーズに係合した複数の足状体７はつぼまり、中空体３の沈下時は、図３（ｃ）の如く、複数の足状体７は大きく拡開するように形体を変化させる。この形体及び動きの変化はアクションに富み面白い。
【００１７】
なお、本願玩具１は、図示の場合には、タコ（蛸）をイメージして示しているが、イカ（烏賊）でも、クラゲでも、架空の動物でも、種々のマンガの主人公（キャラクター）でも、宇宙船でも、その他でも、本発明を実現できる機構である限り、変更することは可能である。
【産業上の利用可能性】
【００１８】
本願玩具１は、子供を風呂好きにするために風呂の湯の中で遊べるグッズとし、また、入浴玉の販売促進のためのグッズとしても利用可能である。
【図面の簡単な説明】
【００１９】
【図１】本願玩具の外観斜視図である。
【図２】本願玩具の分解斜視図である。
【図３】本願玩具の動作を示す図で、（ａ）は浮上している状態、（ｂ）は湯面に至ってエアが抜けて湯が侵入した状態、（ｃ）は沈下している状態である。
【符号の説明】
【００２０】
１  本願玩具
２  入浴玉
３  中空体
３ａ  上部分
３ｂ  下部分
４  頂面
５  エア抜き穴
６  穴
７  足状体
８  凹欠部
９  ピン
１０  リング体
１１  錘
１２  収容室
１３  蓋
１４  穴
Ａ  エア
【図１】
2005080795.tif 000003
【図２】
2005080795.tif 000004
【図３】
2005080795.tif 000005